(57)【要約】【課題】カウンタ上に水が残ることがなく、カウンタから落下した水が洗い場に居る人の足に接触することを防止でき、また副排水口が露出せず見栄えの良い浴室洗い場の排水構造を提供する。【解決手段】浴室壁２から突設したカウンタ３に上下に貫通する複数の開口部４を形成する。洗い場１の床面を平面視でカウンタ３の先端近傍を通る境界線ａを境にしてカウンタ３側に位置する副床面部１ｂと反対側に位置する主床面部１ａで構成する。主床面部１ａに主排水口６を設ける。副床面部１ｂにカウンタ３の下方に位置する副排水口７を設ける。主床面部１ａを主排水口６側に向かって下り傾斜する傾斜面とする。副床面部１ｂを副排水口７側に向かって下り傾斜する傾斜面とする。【選択図】図１
2008208566.tif 000002
【特許請求の範囲】
【請求項１】
浴室壁から突設したカウンタに上下に貫通する複数の開口部を形成し、洗い場の床面を平面視でカウンタの先端近傍を通る境界線を境にしてカウンタ側に位置する副床面部と反対側に位置する主床面部で構成し、主床面部に主排水口を設けると共に副床面部にカウンタの下方に位置する副排水口を設け、主床面部を主排水口側に向かって下り傾斜する傾斜面とすると共に副床面部を副排水口側に向かって下り傾斜する傾斜面とすることを特徴とする浴室洗い場の排水構造。
【請求項２】
前記主床面部と副床面部の境界線をカウンタの先端よりも該カウンタを設けた浴室壁とは反対側に位置させて成ることを特徴とする請求項１に記載の浴室洗い場の排水構造。
【発明の詳細な説明】
【技術分野】
【０００１】
本発明はカウンタを設けた浴室における洗い場の排水構造に関する。
【背景技術】
【０００２】
従来、図２に示すように洗い場１に面する浴室壁２からカウンタ３を突設した浴室が広く利用されており、このカウンタ３は洗面器などの浴室用品を載置するための台として利用される。また一般的に洗い場の排水口９は図２に示すようにカウンタ３から離れた位置に設けられる。
【０００３】
しかし上記カウンタ３の上面には水が残りやすいといった問題がある。またカウンタ３上の水の一部は図２の矢印に示すようにカウンタ３の先端から洗い場１に落下し、洗い場１に設けた排水口９から洗い場１上の水と共に排出されるが、図２では洗い場１のカウンタ３から離れた位置にのみ排水口９を設けているため、カウンタ３から落下した水をスムーズに排水できないという問題がある。またカウンタ３から洗い場１に落下して洗い場１の排水口９側に流れた水が洗い場１に居る人の足１０に接触して足１０を汚すという問題もある。
【０００４】
また例えば特許文献１は、洗い場のカウンタと反対側に主排水口を設けると共にカウンタ側に副排水口を設けている。しかしカウンタには水抜き用の孔等が設けておらず、カウンタ上に水が残るという問題は依然として改善されていない。また前記副排水口はカウンタの先端よりも該カウンタを設けた浴室壁と反対側に配置してあって、カウンタの下方に位置しておらず、また洗い場の床面は主排水口や副排水口に向かって下り傾斜した傾斜面となっていない。このためカウンタから洗い場に落下した水を副排水口にスムーズに排水することができず、また副排水口側に流れた水は洗い場に居る人の足に接触し易くなっている。またこの場合、洗い場に設けた副排水口がカウンタによって隠されておらず見栄えが悪い。
【特許文献１】特開平１１−２５６６４８号公報
【発明の開示】
【発明が解決しようとする課題】
【０００５】
本発明は上記従来の問題点に鑑みて発明したものであって、カウンタ上に水が残ることがなく、またカウンタから落下した水が洗い場に居る人の足に接触することを防止でき、また副排水口が露出せず見栄えの良い浴室洗い場の排水構造を提供することを課題とする。
【課題を解決するための手段】
【０００６】
上記課題を解決するために本発明に係る浴室洗い場の排水構造は、浴室壁２から突設したカウンタ３に上下に貫通する複数の開口部４を形成し、洗い場１の床面を平面視でカウンタ３の先端近傍を通る境界線ａを境にしてカウンタ３側に位置する副床面部１ｂと反対側に位置する主床面部１ａで構成し、主床面部１ａに主排水口６を設けると共に副床面部１ｂにカウンタ３の下方に位置する副排水口７を設け、主床面部１ａを主排水口６側に向かって下り傾斜する傾斜面とすると共に副床面部１ｂを副排水口７側に向かって下り傾斜する傾斜面とすることを特徴とする。上記のように浴室壁２から突設したカウンタ３に上下に貫通する複数の開口部４を形成することで、カウンタ３上の水を複数の開口部４を介して洗い場１の副床面部１ｂ上に落下させることができる。また主床面部１ａ上の水を主床面部１ａの傾斜を利用して主排水口６側にスムーズに流して排水できるのは勿論、前記複数の開口部４を介して副床面部１ｂ上に落下した水と、これら開口部４では排水しきれずにカウンタ３の先端を伝って副床面部１ｂ上に落下した水は副床面部１ｂの傾斜により副排水口７側にスムーズに流して排水できる。
【０００７】
また前記主床面部１ａと副床面部１ｂの境界線ａをカウンタ３の先端よりも該カウンタ３を設けた浴室壁２と反対側に配置することも好ましい。主床面部１ａと副床面部１ｂの境界線ａをカウンタ３の先端側に位置させることで、カウンタ３の先端から落下した水を確実に副床面部１ｂ上に落下させて副排水口７から排水でき、主床面部１ａ上に置いた足１０にカウンタ３上から落下した水が接触することをより一層防止できる。
【発明の効果】
【０００８】
請求項１に係る発明では、カウンタ上の水を複数の開口部を介して洗い場の副床面部上に落下させ、カウンタ上に水が残り難くなる。またこれら複数の開口部を介して副床面部上に落下した水と、これら開口部では排水しきれずにカウンタの先端から副床面部上に落下した水を副床面部の傾斜により副排水口側にスムーズに流して排水でき、洗い場に居る人の主床面部上に置いた足にカウンタ上の汚れた水が接触することを防止できる。また副排水口はカウンタの下方のカウンタによって隠れる位置に配置してあるので、見栄えが良い。
【０００９】
また請求項２に係る発明では、請求項１に係る発明の効果に加えて、カウンタの先端から落下した水を確実に副床面部上に落下させて副排水口から排水でき、主床面部上に置いた足にカウンタ上から落下した水が接触することをより一層防止できる。
【発明を実施するための最良の形態】
【００１０】
以下、本発明を添付図面に示す実施形態に基づいて説明する。図１に本実施形態の一例の浴室洗い場の排水構造を示す。洗い場１に面する浴室壁２には図示しない対向する浴室壁に向けて突出する平板状のカウンタ３を突設してあり、該カウンタ３は洗面器等の浴室用品を載置するために用いられる。カウンタ３には開口部４として上下に貫通する貫通孔４ａを多数穿設してあり、貫通孔４ａは図１に示すように平面視でカウンタ３の突出方向に多数設けてあると共に図示は省略するがカウンタ３の突出方向と直交する方向にも多数設けられている。従って洗面器を利用した際等にカウンタ３上に落下した水はこれら開口部４を通過してカウンタ３の下方に落下するようになっている。
【００１１】
床パンで構成される洗い場１の床面は平面視でカウンタ３の先端近傍を通る境界線ａを境にしてカウンタ３側に位置する副床面部１ｂと反対側に位置する主床面部１ａで構成してあり、図示例では主床面部１ａと副床面部１ｂの境界線ａをカウンタ３の先端よりもややカウンタ３を設けた浴室壁２とは反対側に位置させている。なお主床面部１ａと副床面部１ｂの境界線ａは平面視でカウンタ３の先端縁と平行となる。副床面部１ｂの主床面部１ａと反対側の端縁からは壁載置部１ｃを立ち上げており、パネル等で構成された浴室壁２は壁載置部１ｃ上に載置して立て込んである。
【００１２】
主床面部１ａの副床面部１ｂと反対側の端部には主排水口６を設けてあり、また副床面部１ｂの主床面部１ａと反対側の端部にはカウンタ３の基端側部分の下方に位置する副排水口７を設けてある。図中８は主排水口６及び副排水口７の夫々に設けた排水口カバーである。なお上記主排水口６は一般的な洗い場に設けられる排水口と同様に主床面部１ａにおいて浴室に設置した浴槽側に設けてあるものとする。
【００１３】
上記主床面部１ａは主排水口６側に向かって下り傾斜する傾斜面としてあり、副床面部１ｂは副排水口７側に向かって下り傾斜する傾斜面としてあり、副床面部１ｂの副排水口７側に向かう下り傾斜は主床面部１ａの主排水口６側に向かう下り傾斜よりも急となっている。上記により洗い場１において最も上方に位置する頂部となる境界線ａを境にして、主床面部１ａ上の水は主排水口６側に向かってスムーズに流れて主排水口６を介して浴室外部に排水され、また副床面部１ｂ上の水は副排水口７側に向かってスムーズに流れて副排水口７を介して浴室外部に排水されることとなる。
【００１４】
以上説明した本発明の排水構造にあっては、浴室壁２から突設したカウンタ３に上下に貫通する複数の開口部４（貫通孔４ａ）を形成しているので、カウンタ３上の水を複数の開口部４を介して洗い場１の副床面部１ｂ上に落下させることができ、カウンタ３上には水が残り難くなる。またこれら多数の開口部４はカウンタ３上に載置される浴室用品の滑り止めとしても機能し、カウンタ３上に載置した浴室用品が滑り落ちることも防止できる。
【００１５】
また主床面部１ａ上の水を主床面部１ａの傾斜を利用して主排水口６側にスムーズに流して排水できるのは勿論、加えて前記複数の開口部４を介して副床面部１ｂ上に落下した水と、これら開口部４では排水しきれずにカウンタ３の先端から副床面部１ｂ上に落下した水を、副床面部１ｂの傾斜により副排水口７側にスムーズに流して排水でき、洗い場１に居る人の主床面部１ａ上に置いた足１０にカウンタ３上の汚れた水が接触することを防止できる。また副排水口７はカウンタ３の下方のカウンタ３によって隠れる位置に配置してあるので、見栄えが良い。また本例では主床面部１ａと副床面部１ｂの境界線ａをカウンタ３の先端よりも該カウンタ３を設けた浴室壁２とは反対側に位置させているので、カウンタ３の先端から落下した水を確実に副床面部１ｂ上に落下させて副排水口７から排水でき、主床面部１ａ上に置いた足１０にカウンタ３上から落下した水が接触することをより一層防止できる。
【図面の簡単な説明】
【００１６】
【図１】本発明の実施の形態の一例を示す説明図である。
【図２】従来の浴室洗い場の排水構造を示す説明図である。
【符号の説明】
【００１７】
ａ  境界線
１  洗い場
１ａ  主床面部
１ｂ  副床面部
２  浴室壁
３  カウンタ
４  開口部
６  主排水口
７  副排水口
【図１】
2008208566.tif 000003
【図２】
2008208566.tif 000004